(57)【要約】【課題】  ハンドル回転操作が煩雑である点を解決することで、ハンドル回転操作を簡単に行うことを可能にする。【解決手段】  機体１１の前部に枝葉などを切取る切取り刃１３，１４を設け、原動機１２で切取り刃１３，１４を駆動し、原動機１２の出力をスロットルレバー３６で調整する形式の動力作業機において、ハンドル１５が、機体１１から延出した軸部３２に回転可能に取付けたものであり、この回転を止める係止機構８２をハンドル１６に設け、この係止機構８２の解除を行う係止解除レバー８１をハンドル１６に設け、スロットルレバー３６のスイングを規制したときには係止機構８２の作動を許容とするとともにスロットルレバー３６のスイングを許容したときには係止機構８２の作動を規制するストッパ部材４１をハンドル１６に且つスロットルレバー３６から離間させた位置に設けた。【選択図】      図４
2005176822.tif 000002
【特許請求の範囲】
【請求項１】
機体の前部に枝葉などを切取る切取り刃を設け、機体の後部に作業者が握るハンドルを設け、このハンドルにスロットルレバーを非作業位置から作業位置までスイング可能に設け、機体の中央に原動機を設け、この原動機で前記切取り刃を駆動し、原動機の出力を前記スロットルレバーで調整する形式の動力作業機において、
前記ハンドルは、前記機体から延出した軸部に回転可能に取付けたものであり、この回転を止める係止機構を前記ハンドルに設け、この係止機構の解除を行う係止解除レバーを前記ハンドルに設け、前記スロットルレバーのスイングを規制したときには前記係止機構の作動を許容とするとともに前記スロットルレバーのスイングを許容したときには前記係止機構の作動を規制するストッパ部材を前記ハンドルに且つ前記スロットルレバーから離間させた位置に設けたことを特徴とする動力作業機。
【請求項２】
前記係止解除レバーは、前記軸部の軸線に沿わせて移動可能に設けたものであり、
前記ストッパ部材は、前記軸線に対して直交方向に移動可能に設けたものであり、前記係止機構の解除時には前記スロットルレバーに係合させる第１の係合部と、前記スロットルレバーのスイング時には前記係止機構に係合させる第２の係合部と、を備えたことを特徴とする請求項１記載の動力作業機。
【発明の詳細な説明】
【技術分野】
【０００１】
本発明は、生垣の上面や側面を刈り込む時に刈り込み位置に応じてハンドルを回転させることで、作業性を向上させることができる動力作業機に関するものである。
【背景技術】
【０００２】
動力作業機として、機体にハンドルを回転自在に取付け、このハンドルに動力の出力を調整するスロットルレバーを設けるとともに、このスロットルレバーをロックすることのできるスロットルレバーを設けたものが実用に供されている。
実用の動力作業機は、スロットルレバーやスロットルロックレバーとは別に、機体にハンドルの回転を止める係止機構と、この係止機構を解除する係止解除レバーを備えるようにすれば実用上十分であった。
【０００３】
このような動力作業機として、スロットルワイヤに連動させた係止機構を備えたものが知られている（例えば、特許文献１参照。）。
【特許文献１】特開平１１−２８６８３号公報（第１１頁、図４）
【０００４】
図２４は従来の基本構成を説明する図であり、動力作業機２００は、機体２０１に回転自在に取付けたハンドル２０２と、このハンドル２０２にスイング自在に取付けたスロットルレバー２０３と、このスロットルレバー２０３をロックするスロットル固定レバー２０４と、スロットルレバー２０３の作動にともなって機体２０１側にせり出さすことで、機体２０１に当接させてハンドル２０２の回転を止める係止部材２０５と、を設けたハンドル構造をもつ作業機である。
【０００５】
すなわち、スロットル固定レバー２０４をスロットルレバー２０３から矢印ｃ１の如く外し、このスロットルレバー２０３を矢印ｃ２の如く握ることで、係止部材２０５を矢印ｃ３の如くせり出させ、機体２０１側にハンドル２０２をロックする。
【０００６】
しかし、動力作業機２００では、機体２０１に対してハンドル２０２を所定の角度まで回転させ、このハンドル２０２を機体２０１側にロックさせるために、スロットル固定レバー２０４をスロットルレバー２０３から解除し、このスロットルレバー２０３を握り、機体２０１側に係止部材２０５を押圧してハンドル２０２をロックするものなので、ハンドル２０２の回転及び固定操作が煩雑になるという問題があった。
【０００７】
また、動力作業機２００では、スロットルレバー２０３からスロットル固定レバー２０４を解除すると同時にハンドル２０２の回転をロックできるものではないので、例えば、遠心クラッチなどの接続機能のタイミング次第ではハンドル２０２を機体２０１側にロックする前に切取り刃（不図示）が作動する不確実なところがあるという欠点があった。
【０００８】
すなわち、ハンドル回転操作をシンプルな（単純な）操作で行うことができ、例えば、ハンドル回転操作中はスロットルを操作できないようにするとともに、スロットルレバー操作中はハンドル回転操作ができないようにするなどの対策を施すことで、誤操作を未然に防ぐことができる動力作業機が望まれる。
【発明の開示】
【発明が解決しようとする課題】
【０００９】
本発明は、ハンドル回転操作が煩雑である点を解決し、ハンドル回転操作を簡単に行うことができるとともに、スロットルレバー操作やハンドル回転操作に不確実性を含む点を解決し、スロットルレバー操作やハンドル回転操作を確実に行うことのできる動力作業機を提供することを課題とする。
【課題を解決するための手段】
【００１０】
請求項１に係る発明は、機体の前部に枝葉などを切取る切取り刃を設け、機体の後部に作業者が握るハンドルを設け、このハンドルにスロットルレバーを非作業位置から作業位置までスイング可能に設け、機体の中央に原動機を設け、この原動機で切取り刃を駆動し、原動機の出力をスロットルレバーで調整する形式の動力作業機において、ハンドルが、機体から延出した軸部に回転可能に取付けたものであり、この回転を止める係止機構をハンドルに設け、この係止機構の解除を行う係止解除レバーをハンドルに設け、スロットルレバーのスイングを規制したときには係止機構の作動を許容とするとともにスロットルレバーのスイングを許容したときには係止機構の作動を規制するストッパ部材をハンドルに且つスロットルレバーから離間させた位置に設けたことを特徴とする。
【００１１】
例えば、ハンドル回転操作を簡単に行うことができるとすれば、ハンドル操作の作業性を向上できるので好ましいことであり、スロットルレバー操作やハンドル回転操作を確実に行うことのできるようにすることは、誤操作の防止に役立つので好ましいことである。
【００１２】
そこで、係止機構の解除を行う係止解除レバーをハンドルに設け、スロットルレバーのスイングを規制したときには係止機構の作動を許容とするとともにスロットルレバーのスイングを許容したときには係止機構の作動を規制するストッパ部材をハンドルに且つスロットルレバーから離間させた位置に設けた。
【００１３】
すなわち、係止機構の解除を行う係止解除レバーをハンドルに設けることで、スロットルレバー操作と分離させてハンドルの回転操作をする。
スロットルレバーのスイングを規制したときには係止機構の作動を許容とするとともにスロットルレバーのスイングを許容したときには係止機構の作動を規制するストッパ部材をハンドルに設けることで、スロットルレバーの操作中は、ハンドルの回転操作を禁止するようにし、ハンドルの回転操作中はスロットルレバーの操作を禁止するようにした。
【００１４】
また、ストッパ部材をスロットルレバーから離間させた位置に設けることで、スロットルレバーを操作するときにはストッパ部材に触れることを防止し、ストッパ部材を操作するときにはスロットルレバーに触れることを防止した。
【００１５】
請求項２に係る発明は、係止解除レバーを、軸部の軸線に沿わせて移動可能に設けたものであり、ストッパ部材が、軸線に対して直交方向に移動可能に設けたものであり、係止機構の解除時にはスロットルレバーに係合させる第１の係合部と、スロットルレバーのスイング時には係止機構に係合させる第２の係合部と、を備えたことを特徴とする。
【００１６】
係止解除レバーを、軸部の軸線に沿わせて移動可能に設け、ストッパ部材を軸線に対して直交方向に移動可能に設けることで、ストッパ部材を軸線に直交させて移動させた状態で係止解除レバーを軸線に沿わせて操作し、２つの操作（ツーアクション）でハンドルの回転操作を許容するようにした。
【００１７】
ストッパ部材に、係止機構の解除時にはスロットルレバーに係合させる第１の係合部と、スロットルレバーのスイング時には係止機構に係合させる第２の係合部と、を備えることで、スロットルレバー若しくは係止機構を規制するときに、それぞれのレバーの動きを確実に止めることができる。
【発明の効果】
【００１８】
請求項１に係る発明では、係止機構の解除を行う係止解除レバーをハンドルに設けたので、スロットルレバー操作と分離させてハンドルの回転操作をすることができる。この結果、ハンドル回転操作を簡単に行うことができ、ハンドル操作の作業性を向上することができる。
【００１９】
スロットルレバーのスイングを規制したときには係止機構の作動を許容とするとともにスロットルレバーのスイングを許容したときには係止機構の作動を規制するストッパ部材をハンドルに設けることで、スロットルレバーの操作中は、ハンドルの回転操作を禁止するようにし、ハンドルの回転操作中はスロットルレバーの操作を禁止することができる。この結果、スロットルレバー操作やハンドル回転操作を確実に行うことのできるという利点がある。
【００２０】
また、ストッパ部材をスロットルレバーから離間させた位置に設けることで、スロットルレバーを操作するときにはストッパ部材に触れることを防止し、ストッパ部材を操作するときにはスロットルレバーに触れることを防止することができる。この結果、スロットルレバー操作時及びハンドル回転操作時の誤操作の防止機能を高めることができるという利点がある。
【００２１】
請求項２に係る発明では、係止解除レバーを機体に回転可能に取付けたハンドルの軸線に沿わせて移動可能に設け、ストッパ部材を軸線に対して直交方向に移動可能に設けることで、ストッパ部材を軸線に直交させて移動させた状態で係止解除レバーを軸線に沿わせて操作し、２つの操作（ツーアクション）でハンドルの回転操作を許容するようにした。  この結果、ハンドルの回転操作の確実性の向上を図ることができるという利点がある。
【００２２】
また、ストッパ部材に、係止機構の解除時にはスロットルレバーに係合させる第１の係合部と、スロットルレバーのスイング時には係止機構に係合させる第２の係合部と、を備えることで、スロットルレバー若しくは係止機構を規制するときに、それぞれのレバーの動きを確実に止めることができる。この結果、ストッパ部材の切換えの信頼性の向上を図ることができるという利点がある。
【発明を実施するための最良の形態】
【００２３】
本発明を実施するための最良の形態を添付図に基づいて以下に説明する。なお、図面は符号の向きに見るものとする。
図１は本発明に係る動力作業機の斜視図であり、動力作業機１０は、エンジンなどの原動機（動力源）１２の回転を減速し、減速した回転を往復運動に変換し、この往復運動を上下の切取り刃（刈刃）１３，１４に伝達し、これらの上下の切取り刃１３，１４で生垣（hedge）の刈り込み作業を行う作業機であり、例えば、生垣の上面を刈り込む場合や生垣の側面を刈り込む場合における作業者の作業姿勢に応じてハンドル１５を回転できるようにしたものである。なお、動力作業機１０は、具体的には生垣などをトリミングするヘッジトリマ（hedge trimmer）である。
【００２４】
図２は本発明に係る動力作業機の側面図であり、動力作業機（ヘッジトリマ）１０は、機体１１に搭載した原動機１２と、この原動機１２に供給する燃料を貯留する燃料タンク１６と、この燃料タンク１６の給油口１７に被せるキャップ１８と、原動機１２を始動するリコイルスタータ用ノブ１９と、原動機１２廻りを囲う原動機カバー２１と、原動機１２の前面に設けることで刈り込み時に発生する切り枝若しくは葉などの飛び跳ねを防ぐプロテクタ２２と、機体１１の底に設けることで刈り込み時に生垣などに滑らせて作業を進めるためのカバー部材２３と、機体１１の後方に回転自在に設けることで作業時に機体１１を一方の手で支持するハンドル１５と、機体１１の前方に設けることで作業時に機体１１を他方の手で支持する非回転式且つ閉ループ状の固定ハンドル２４と、機体１１の前方に延出することで上下の切取り刃１３，１４を支持する支持フレーム２５と、この支持フレーム２５に前後スライド可能に取付けた上下の切取り刃１３，１４と、これらの切取り刃１３，１４を支持フレーム２５に取付ける取付けねじ２６・・・（・・・は複数個を示す。以下同じ）と、これらの取付けねじ２６・・・にねじ込むナット２７・・・を主要構成とする作業機である。
【００２５】
図３（ａ）〜（ｂ）は本発明に係る動力作業機のハンドルの左右側面及び平面を示す説明図であり、スロットルレバー３６、スロットル固定レバー３７、係止解除レバー８１、始動スイッチ３９及びストッパ部材４１の配置を示す。
なお、（ａ）はハンドル１５の左側面を示し、（ｂ）はハンドル１５の平面を示し、（ｃ）はハンドルの右側面を示す。
【００２６】
ハンドル１５は、（ａ）に示すように、後述する係止機構の係止解除を行う係止解除レバー８１をハンドル本体３５左側に設け、原動機１２（図２参照）の出力を調整するスロットルレバー３６をループ状のハンドル本体３５の内方に設け、（ｂ）に示すように、スロットルレバー３６を必要なときにロックするスロットル固定レバー（スロットル固定レバー）３７をハンドル本体３５上面に設けるとともに、原動機１２を始動可能状態若しくは停止状態にする始動スイッチ３９をハンドル本体３５上面に設け、（ｃ）に示すように、係止解除レバー８１（若しくは係止機構）の作動を規制するストッパ部材４１をハンドル本体３５右側設けたものであり、以下その詳細を説明する。
【００２７】
図４は本発明に係る動力作業機のハンドルの側面断面図であり、半割りにした左右のハンドル半割体３３，３４（図１参照）の内の右のハンドル半割体３４を外した状態を示す。
機体１１には、原動機１２の回転を減速する減速機能及び減速回転を往復運動に変換する変換機能を内蔵などをするケース体３１と、このケース体３１に設けることでハンドル１５を回転自在に取付ける軸部３２とを備える。
【００２８】
ハンドル１５は、半割りにした左右のハンドル半割体３３，３４（３４は不図示）を合わせることで組立てるハンドル本体３５と、このハンドル本体３５に回転自在に取付けることで原動機１２（図２参照）の出力を調整するスロットルレバー３６と、このスロットルレバー３６をロックするためにハンドル本体３５にスイング自在に取付けたスロットル固定レバー（スロットルロックレバー）３７と、係止解除レバー８１を一体的に形成することで機体１１からハンドルを回転可能状態若しくは機体１１にハンドルを係止状態にするレバー複合体３８と、原動機１２を始動可能状態若しくは停止状態にする始動スイッチ３９と、スロットルレバー３６のスイングを規制したときにはレバー複合体３８の作動を許容とするとともにスロットルレバー３６のスイングを許容したときにはレバー複合体３８の作動を規制するストッパ部材４１と、からなる。
【００２９】
なお、スロットルレバー３６、初期状態に戻すトーションばね４３を備え、スロットル固定レバー３７は、初期状態に戻すトーションばね４２を備える。また、ストッパ部材４１は、スロットルレバー３６から離間させた位置に設けたものであり、レバー複合体３８は、後述するように、係止解除レバー８１及び係止機構８２とからなる部材である。図中、Ｃはハンドル１５の軸線、９７はレバー複合体３８の抜け止め突起を示す。
【００３０】
図５は本発明に係る動力作業機のハンドルの主な部品を示す分解斜視図である。
軸部３２は、ケース体３１に取付ける取付け部５１と、ハンドル本体３５を回転自在に支持する円筒部５２と、ハンドル本体３５を所定角度で係止するための溝５３・・・と、を備える。
【００３１】
左のハンドル半割体３３は、軸部３２に嵌合させる左嵌合部５４と、スロットルレバー３６を回転自在に取付けるスロットルレバー用ボス５５と、スロットル固定レバー３７を回転自在に取付ける固定レバー用ボス５６と、レバー複合体３８を支持する（保持する）支持リブ（保持部）５７と、レバー複合体３８をスライド可能にガイドするガイド溝５８と、を備える。
右のハンドル半割体３４は、軸部３２に嵌合させる右嵌合部６４と、ストッパ部材４１をスライド可能に支持するガイド筒部６５を備える。
【００３２】
スロットルレバー３６は、スロットルレバー用ボス５５に回転可能に嵌合させる軸孔７１と、スロットルワイヤ７２を支持する支持部７３と、スロットル固定レバー３７に当てる当て部７４と、スロットル固定レバー３７を逃がす逃げ部７５と、を備える。
スロットル固定レバー３７は、固定レバー用ボス５６に回転可能に嵌合させる孔７７と、スロットルレバー３６の当て部７４に当てる若しくは逃げ部７５に逃がす作用部７８と、を備える。
【００３３】
レバー複合体３８は、係止解除レバー８１と、この係止解除レバー８１に一体的に形成した係止機構８２と、からなる。
ストッパ部材４１は、スロットルレバー３６の動き及び係止機構８２の動作を規制するストッパ本体８３と、このストッパ本体８３に取付けたストッパ摘み８４と、このストッパ摘み８４と右のハンドル半割体３４との間に介在させた圧縮ばね８５と、からなる。
ストッパ本体８３は、係止機構８２の解除時にはスロットルレバー３６に係合させる第１の係合部８６と、スロットルレバー３６のスイング時には係止機構８２に係合させる第２の係合部８７と、ストッパ摘み８４の爪８８，８８に嵌合させる嵌合孔８９，８９と、を備える。
【００３４】
図６は本発明に係る動力作業機の係止解除レバー及び係止機構の横断面図であり、係止機構８２は、軸部３２（図５参照）の任意の溝５３・・・に嵌合させる突起９２と、この突起９２からハンドル１５後方に延出することで係止解除レバー８１に一体的に形成した延出部９３と、この延出部９３に形成したスプリング保持部９４と、このスプリング保持部９４に前端を支持させるとともに後端を支持リブ５７（図４参照）に支持させることでレバー複合体３８全体を復帰させる復帰ばね９５と、延出部９３に形成することでストッパ本体８３の第２の係合部８７に係合させる凸部９６と、前述した抜け止め突起９７（図４参照）と、から構成した。
【００３５】
すなわち、係止機構８２は、スプリング保持部９４に復帰ばね９５を収納し、この復帰ばね９５の後端を左・右スプリング受けリブ５９，６９に支持させ、ハンドル１５（図２参照）前方に向けてレバー複合体３８を付勢したものである。
従って、係止解除レバー８１（レバー複合体３８）をハンドル１５後方に引くことで、軸部３２の任意の溝５３・・・から突起９２を外すことができ、機体１１（図２参照）からハンドル１５の回転を許容できる。また、レバー複合体３８を離すことで、ハンドル１５を所定回転させた位置に当面させた任意の溝５３・・・に突起９２を自動的に係止できる。
【００３６】
図７は本発明に係る動力作業機の係止解除レバー及び係止機構の縦断面図であり、ストッパ部材４１を押す前（初期状態）のスロットルレバー３６、係止解除レバー８１、係止機構８２の状態を示す。
係止機構８２の凸部９６にストッパ部材４１の第２の係合部８７を係合させた状態にあるので、係止機構８２に一体的の係止解除レバー８１をハンドル１５（図５参照）の後方に引くことはできない。
また、スロットルレバー３６の支持部７３に第１の係合部８６を係合させた状態にないので、スロットルレバー３６を操作することができる。
【００３７】
例えば、ストッパ部材４１のストッパ摘み８４を白抜き矢印のように押すことで、第１の係合部８６を支持部７３に移動させるとともに第２の第２の係合部８７を凸部９６から解放することで、係止解除レバー８１を引くことができるとともに、スロットルレバー３６の操作を阻止することができる。
【００３８】
図８は本発明に係る動力作業機の要部拡大図であり、動力作業機１０は、機体１１の前部に枝葉などを切取る切取り刃１３，１４を設け、機体１１の後部に作業者が握るハンドル１５を設け、このハンドル１５にスロットルレバー３６を非作業位置から作業位置までスイング可能に設け、機体１１の中央に原動機１２を設け、この原動機１２で切取り刃１３，１４を駆動し、原動機１２の出力をスロットルレバー３６で調整する形式の動力作業機において、ハンドル１５が、機体１１から延出した軸部３２に回転可能に取付けたものであり、この回転を止める係止機構８２をハンドル１６に設け、この係止機構８２の解除を行う係止解除レバー８１をハンドル１６に設け、スロットルレバー３６のスイングを規制したときには係止機構８２の作動を許容とするとともにスロットルレバー３６のスイングを許容したときには係止機構８２の作動を規制するストッパ部材４１をハンドル１６に且つスロットルレバー３６から離間させた位置に設けたものと言える。
【００３９】
例えば、ハンドル回転操作を簡単に行うことができるとすれば、ハンドル操作の作業性を向上できるので好ましいことであり、スロットルレバー操作やハンドル回転操作を確実に行うことのできるようにすることは、誤操作の防止に役立つので好ましいことである。
【００４０】
すなわち、係止機構８２の解除を行う係止解除レバー８１をハンドル１６に設けることで、スロットルレバー３６操作と分離させてハンドル１６の回転操作をすることができる。
【００４１】
スロットルレバー３６のスイングを規制したときには係止機構８２の作動を許容とするとともにスロットルレバー３６のスイングを許容したときには係止機構８２の作動を規制するストッパ部材４１をハンドル１６に設けることで、スロットルレバー３６の操作中は、ハンドル１６の回転操作を禁止することができ、ハンドル１６の回転操作中はスロットルレバー３６の操作を禁止するようにした。この結果、スロットルレバー操作やハンドル回転操作を確実に行うことのできる。
【００４２】
また、ストッパ部材４１をスロットルレバー３６から離間させた位置に設けることで、スロットルレバー３６を操作するときにはストッパ部材４１に触れることを防止することができ、ストッパ部材４１を操作するときにはスロットルレバー３６に触れることを防止することができる。この結果、スロットルレバー３６操作時及びハンドル１６回転操作時の誤操作の防止機能を高めることができる。
【００４３】
以上に述べた動力作業機の作用を説明する。
図９（ａ），（ｂ）は本発明に係る動力作業機のハンドル係止状態状態を示す作用説明図である。
（ａ）において、ストッパ部材４１を押す前（初期状態）のスロットルレバー３６、係止解除レバー８１、係止機構８２の状態を示す。
【００４４】
（ｂ）において、係止機構８２の凸部９６にストッパ部材４１の第２の係合部８７を係合させた状態にあるので、係止機構８２に一体的の係止解除レバー８１をハンドル１５（図５参照）の後方に引くことはできない。これにより、スロットルレバー３６操作中はハンドル１５の回転操作を阻止することができる。
【００４５】
（ａ），（ｂ）において、動力作業機１０は、係止解除レバー８１を機体１１に回転可能に取付けたハンドル１５の軸線Ｃに沿わせて移動可能に設け、ストッパ部材４１を軸線に対して直交方向に移動可能に設けることで、ストッパ部材４１を軸線Ｃに直交させて移動させた状態で係止解除レバー８１を軸線Ｃに沿わせて操作し、２つの操作（ツーアクション）でハンドル１５の回転操作を許容するようにした。この結果、ハンドル１５の回転操作の確実性の向上を図ることができる。
【００４６】
また、ストッパ部材４１に、係止機構８２の解除時にはスロットルレバー３６に係合させる第１の係合部８６と、スロットルレバー３６のスイング時には係止機構８２に係合させる第２の係合部８７と、を備えることで、スロットルレバー３６若しくは係止機構８２を規制するときに、それぞれのレバー３６，８１の動きを確実に止めることができる。この結果、ストッパ部材４１の切換えの信頼性の向上を図ることができる。
【００４７】
図１０（ａ），（ｂ）は本発明に係る動力作業機のびハンドル回転可能状態を示す作用説明図である。
（ｂ）において、ストッパ部材４１のストッパ摘み８４を白抜き矢印ａ１の如く押すことで、第１の係合部８６をスロットルレバー３６の支持部７３に移動させるとともに第２の第２の係合部８７を凸部９６から解放する。
【００４８】
（ａ）において、係止解除レバー８１を矢印ａ１の如く引くことができるとともに、スロットルレバー３６の支持部７３に第１の係合部８６が位置するので、スロットルレバー３６の操作を阻止することができる。この結果、スロットルレバー３６の操作を阻止しつつ、ハンドル１５を回転させることができる。
【００４９】
図１１（ａ），（ｂ）は本発明に係る動力作業機のスロットルレバー作動状態を示す作用説明図である。
（ａ）において、スロットル固定レバー３７を矢印ａ３の如く回転させ、スロットル固定レバー３７の作用部７８をスロットルレバー３６の当て部７４から逃げ部７５に移動することで、スロットルレバー３６を矢印ａ４の如く回転させ、スロットルワイヤ７２を矢印ａ５の如く引くことができる。
【００５０】
（ｂ）において、前述したように、係止機構８２の凸部９６にストッパ部材４１の第２の係合部８７を係合させた状態にあるので、係止機構８２に一体的の係止解除レバー８１をハンドル１５（図５参照）の後方に引くことはできない。
【００５１】
図１２は本発明に係る別実施形態の動力作業機の斜視図であり、動力作業機（携帯型作業機）１００は、エンジンなどの原動機（動力源）１１２の回転を減速し、減速した回転を往復運動に変換し、この往復運動を上下の切取り刃（刈刃）１１３，１１４に伝達し、これらの上下の切取り刃１１３，１１４で生垣（hedge）の刈り込み作業を行う作業機であり、例えば、生垣の上面を刈り込む場合や生垣の側面を刈り込む場合における作業者の作業姿勢に応じてハンドル１１５を回転できるようにしたものである。なお、動力作業機１１０は、具体的には生垣などをトリミングするヘッジトリマ（hedge trimmer）である。
【００５２】
図１３は本発明に係る別実施形態の動力作業機の側面図であり、動力作業機（ヘッジトリマ）１００は、機体１１１に搭載した原動機１１２と、この原動機１１２に供給する燃料を貯留する燃料タンク１１６と、原動機１１２を始動するリコイルスタータ用ノブ１１９と、原動機１１２廻りを囲う原動機カバー１２１と、原動機１１２の前面に設けることで刈り込み時に発生する切り枝若しくは葉などの飛び跳ねを防ぐプロテクタ１２２と、機体１１１の底に設けることで刈り込み時に生垣などに滑らせて作業を進めるためのカバー部材１２３と、機体１１１の後方に回転自在に設けることで作業時に機体１１１を一方の手で支持するハンドル１１５と、機体１１１の前方に設けることで作業時に機体１１１を他方の手で支持する非回転式且つ閉ループ状の固定ハンドル１２４と、機体１１１の前方に延出することで上下の切取り刃１１３，１１４を支持する支持フレーム１２５と、この支持フレーム１２５に前後スライド可能に取付けた上下の切取り刃１１３，１１４と、これらの切取り刃１１３，１１４を支持フレーム１２５に取付ける取付けねじ１２６・・・（・・・は複数個を示す。以下同じ）と、これらの取付けねじ１２６・・・にねじ込むナット１２７・・・を主要構成とする作業機である。
【００５３】
機体１１１には、原動機１１２の回転を減速する減速機能及び減速回転を往復運動に変換する変換機能を内蔵などをするケース体１３１と、このケース体１３１に設けることでハンドル１１５を回転自在に取付ける軸部１３２と、を備える。
【００５４】
図１４は本発明に係る別実施形態の動力作業機のハンドルの側面断面図であり、半割りにした左右のハンドル半割体１３３，１３４（図１２参照）の内の左のハンドル半割体１３３を外した状態を示す。
ハンドル１１５は、半割りにした左右のハンドル半割体１３３，１３４（１３３は不図示）を合わせることで組立てるハンドル本体１３５と、このハンドル本体１３５に回転自在に取付けることで原動機１１２（図１３参照）の出力を調整するスロットルレバー１３６と、このスロットルレバー１３６をロックするためにハンドル本体１３５にスイング自在に取付けたスロットル固定レバー（スロットルロックレバー）１３７と、係止解除レバー１８１及び係止機構１８２を一体的に形成することで機体１１１からハンドルを回転可能状態若しくは機体１１１にハンドルを係止状態にするレバー複合体１３８と、原動機１１２（図１３参照）を始動可能状態若しくは停止状態にする始動スイッチ１３９と、スロットルレバー１３６のスイングを規制したときにはレバー複合体１３８の作動を許容とするとともにスロットルレバー１３６のスイングを許容したときにはレバー複合体１３８の作動を規制するストッパ部材１４１と、からなる。なお、スロットル固定レバー１３７は、初期状態に戻すトーションばね１４２を備える。
【００５５】
図１５は本発明に係る別実施形態の動力作業機のハンドルの主な部品を示す分解斜視図である。
軸部１３２は、ケース体１３１（図１３参照）に取付ける取付け部１５１と、ハンドル本体１３５を回転自在に支持する円筒部１５２と、ハンドル本体１３５を所定角度で係止するための溝１５３・・・と、を備える。
【００５６】
左のハンドル半割体１３３は、軸部１３２に嵌合させる左嵌合部１５４と、ストッパ部材１４１にクリック感を与えるクリック用ボス１５５，１５５（図１８参照）と、ストッパ部材１４１を操作するための長孔１５５ａと、ストッパ部材１４１をスライド可能に支持するストッパガイド部１５６，１５６と、レバー複合体１３８を支持する（保持する）支持リブ（保持部）１５７と、レバー複合体１３８をスライド可能にガイドするレバーガイド部１５８，１５９と、を備える。
【００５７】
右のハンドル半割体１３４は、スロットルレバー１３６を回転自在に取付けるスロットルレバー用ボス１６１と、スロットル固定レバー１３７を回転自在に取付ける固定レバー用ボス１６２と、軸部１３２に嵌合させる右嵌合部１６４と、ストッパ部材１４１にクリック感を与えるクリック用ボス１６５，１６５（図１８参照）と、ストッパ部材１４１を操作するための長孔１６５ａと、トーションばね１４２の一端を支持するばね掛け部１６７と、レバー複合体１３８をスライド可能にガイドするガイド部１６８，１６９と、を備える。
【００５８】
スロットルレバー１３６は、スロットルレバー用ボス１６１に回転可能に嵌合させる軸孔１７１と、スロットルワイヤ１７２を支持する支持部１７３と、スロットル固定レバー１３７に当てる当て部１７４と、スロットル固定レバー１３７を逃がす逃げ部１７５と、
ストッパ部材１４１を嵌合させる嵌合部１７６、１７６と、を備える。
【００５９】
スロットル固定レバー１３７は、固定レバー用ボス１６２に回転可能に嵌合させる孔１７７と、スロットルレバー１３６の当て部１７４に当てる若しくは逃げ部１７５に逃がす作用部１７８と、トーションばね１４２の他端を支持するばね支持部１７９（図１４参照）と、を備える。
【００６０】
レバー複合体１３８は、係止解除レバー１８１と、この係止解除レバー１８１に一体的に形成した係止機構１８２と、からなる。なお、係止解除レバー１８１は、軸部１３２の軸線（不図示）に沿って移動させる部材である。
ストッパ部材１４１は、スロットルレバー１３６の動き及び係止機構１８２の動作を規制するストッパ本体１８３と、このストッパ本体１８３に取付ける操作摘み１８４，１８４と、からなり、軸部１３２の軸線（不図示）に垂直に移動させる部材である。なお、１８５は操作摘み１８４をストッパ本体１８３に取付ける取付けねじである。
【００６１】
ストッパ本体１８３は、係止機構１８２の解除時にはスロットルレバー１３６に係合させる第１の係合部１８６と、スロットルレバー１３６のスイング時には係止機構１８２に係合させる第２の係合部１８７と、を備える。
【００６２】
図１６は本発明に係る別実施形態の動力作業機の係止解除レバー及び係止機構の横断面図であり、係止機構１８２は、軸部１３２の任意の溝１５３・・・（図１５参照）に嵌合させる突起１９２と、この突起１９２からハンドル１１５後方に延出することで係止解除レバー１８１に一体的に形成した延出部１９３と、この延出部１９３に形成したスプリング保持部１９４と、このスプリング保持部１９４に前端を支持させるとともに後端を支持リブ１５７に支持させることでレバー複合体１３８（係止解除レバー１８１及び係止機構１８２）全体を復帰させる復帰ばね１９５と、延出部１９３に形成することでストッパ本体１８３の第２の係合部１８７に係合させる段差部１９６と、から構成し、機体１１（図１３参照）の軸部３２に所定角度で係止できる機構である。
【００６３】
図１７は本発明に係る別実施形態の動力作業機の係止解除レバー及び係止機構の縦断面図であり、すなわち、係止機構１８２は、スプリング保持部１９４に復帰ばね１９５を収納し、この復帰ばね１９５の後端を支持リブ１５７に支持させ、ハンドル１１５前方に向けてレバー複合体１３８を付勢したことを示す。
【００６４】
従って、係止解除レバー１８１（レバー複合体１３８）をハンドル１１５後方に引くことで、軸部１３２（図１６参照）の任意の溝１５３・・・から突起１９２を外すことができ、機体１１１（図１３参照）からハンドル１１５の回転を許容できる。また、レバー複合体１３８を離すことで、ハンドル１１５を所定回転させた位置に当面させた任意の溝１５３・・・に突起１９２を自動的に係止できる。なお、１６６は右ハンドル半割体１３４に形成することで復帰ばね１９５の脱落を防止する補助リブを示す。
【００６５】
図１８は図１６の１８ー１８線断面図であり、ストッパ部材１４１の断面を示す。
ストッパ部材１４１は、操作摘み１８４，１８４を白抜き矢印の如く下げ、ストッパ本体１８３を一体的に下降させることで、ストッパ本体１８３の第１の係合部１８６をスロットルレバー１３６の嵌合部１７６，１７６に係合させるともに、係止機構１８２の段差部１９６から第２の係合部１８７を外すことができる部材である。これにより、図１６に示す係止解除レバー１８１（レバー複合体１３８）をハンドル１１５後方に引くことができる。
【００６６】
また、ハンドル半割体１３３には操作摘み１８４にクリック感を出すクリック用ボス１５５，１５５を形成し、ハンドル半割体１３４には操作摘み１８４にクリック感を出すクリック用ボス１６５，１６５を形成したことを示す。
【００６７】
動力作業機１００（図１２参照）は、ハンドル１１５に、操作摘み１８４，１８４を所定位置でロックするロック手段としてのクリック用ボス１５５，１５５，１６５，１６５を設けたものである。
ハンドル１１５に、操作摘み１８４，１８４を所定位置でロックするロック手段としてのクリック用ボス（ロック手段）１５５，１５５，１６５，１６５を設けることで、ストッパ部材１４１の動きを認識しやすくすることができる。この結果、動力作業機１００のハンドル１１５回転操作の操作性の向上を図ることができる。
【００６８】
図１９は図１６の１９ー１９線断面図であり、軸部１３２（図１３参照）に形成した溝１５３・・・のひとつに係止機構１８２の突起１９２が嵌合した状態であることを示し、溝１５３・・・はハンドル１１５の左右及び下部に９０度毎の角度で形成したので、ハンドル１１５を機体１１１（図１２参照）に対して垂直及び左右に水平に倒せることを示す。従って、動力作業機１００（図１２参照）の使い勝手を向上させることができる。
【００６９】
図２０は本発明に係る別実施形態の動力作業機の要部拡大図であり、動力作業機１０は、機体１１１の前部に枝葉などを切取る切取り刃１１３，１１４を設け、機体１１１の後部に作業者が握るハンドル１１５を回転可能に設け、このハンドル１１５にスロットルレバー１３６を非作業位置から作業位置までスイング可能に設け、機体１１１の中央に原動機１１２を設け、この原動機１１２で切取り刃１１３，１１４を駆動し、原動機１１２の出力をスロットルレバー１３６で調整する形式の動力作業機１００において、ハンドル１１５に、機体の軸部１３２に所定角度で係止できる係止機構１８２と、この係止機構１８２の解除を行う係止解除レバー１８１と、スロットルレバー１３６のスイングを規制したときには係止機構１８２の作動を許容とするとともにスロットルレバー１３６のスイングを許容したときには係止機構１８２の作動を規制するストッパ部材１４１と、このストッパ部材１４１に取付けることでハンドル１１５前方且つハンドル１１５左右で操作可能な操作摘み１８４と、を備えたものである。
【００７０】
また、動力作業機１００は、機体１１１に原動機１１２を取付け、この原動機１１２で切取り刃１１３，１１４を駆動するとともに、機体１１１に係止機構１８２を介してハンドル１１５を回転可能に取付け、このハンドル１１５に原動機１１２の出力を調整するスロットルレバー１３６を設けたものとも言える。
【００７１】
ハンドル１１５前方且つハンドル１１５左右で操作可能な操作摘み１８４，１８４をストッパ部材１４１に取付けることで、ハンドル１１５を回転操作のためにストッパ部材１４１を操作するときはスロットルレバー１３６から離れたハンドル１１５前方且つハンドル１１５左右で操作することができ、スロットルレバー１３６操作やハンドル１１５回転操作を混同して操作することを回避することができる。この結果、スロットルレバー１３６操作やハンドル１１５回転操作を確実に行うことのできる。
【００７２】
以上に述べた動力作業機１００の作用を説明する。
図２１（ａ），（ｂ）は本発明に係る別実施形態の動力作業機のハンドル係止状態及びレバー複合体のロック状態を示す作用説明図である。
（ａ）において、スロットルレバー１３６の当て部１７４にスロットル固定レバー１３７の作用部１７８を当てた状態にしたので、スロットルレバー１３６を矢印ｂ１の如く引くことを防止できる。
【００７３】
（ｂ）において、スロットル固定レバー１３７を矢印ｂ２の如く押し込むことで、作用部１７８を当て部１７４から逃がす。これにより、スロットルレバー１３６を作動可能状態にすることができる。
【００７４】
図２２（ａ），（ｂ）は本発明に係る別実施形態の動力作業機のスロットルレバー作動状態及びハンドル回転状態を示す作用説明図である。
（ａ）において、スロットルレバー１３６を矢印ｂ３の如く引くことで、スロットル固定レバー１３７の作用部１７８をスロットルレバー１３６の逃げ部１７５に逃がし、図１２に示す上下の切取り刃１１３，１１４を作動させ刈り込み作業を行うことができる。
【００７５】
（ｂ）において、図２１（ａ）に示すスロットルレバー１３６、スロットル固定レバー１３７及びレバー複合体１３８の状態から、操作摘み１８４を矢印ｂ４の如く下降させることで、ストッパ本体１８３の第１の係合部１８６をスロットルレバー１３６の嵌合部１７６に嵌め込むとともに、第２の係合部１８７を係止機構１８２の段差部１９６から外すことができる。この結果、スロットルレバー１３６をロック状態にすることができるとともに、複合レバー１３８（係止解除レバー１８１及び係止機構１８２）を矢印ｂ５の如くハンドル１１５後方に引くことができ、ハンドル１１５回転操作をすることができる。
【００７６】
図２３（ａ）〜（ｃ）は本発明に係る別実施形態の動力作業機のハンドルのセット位置の態様を示す作用説明図である。なお、本図では軸部１３２の溝１５３・・・を、左の溝１５３Ｌ、中央の溝１５３Ｃ及び右の溝１５３Ｒに区別して説明する。
（ａ）において、ハンドル１１５を左へ９０度回転させたときの動力作業機１００（図１２参照）の状態であり、例えば、生垣などの側面下方をトリミングする場合に好都合な設定であり、（ｂ）に示すように、係止機構１８２の突起１９２を右の溝１５３Ｒに嵌合させたものである。
【００７７】
（ｃ）において、ハンドル１１５を正規の位置にセットした動力作業機１００の状態であり、例えば、生垣などの上面をトリミングする場合に好都合な設定であり、（ｄ）に示すように、係止機構１８２の突起１９２を左の溝１５３Ｃに嵌合させたものである。
【００７８】
（ｅ）において、ハンドル１１５を右へ９０度回転させたときの動力作業機１００の状態であり、例えば、生垣などの側面上方をトリミングする場合に好都合な設定であり、（ｆ）に示すように、係止機構１８２の突起１９２を左の溝１５３Ｌに嵌合させたものである。
【００７９】
尚、本発明に係る動力作業機は、図２に示すように、上下の切取り刃１３，１４を駆動するように説明したが、これに限るものではなく、上下の切取り刃の一方を往復運動をするようにしたものであってもよい。
【００８０】
本発明に係る動力作業機は、図１に示すように、上下の切取り刃１３，１４は左右に刈取り機能を有する両刃であったが、これに限るものではなく、上下の切取り刃は一方に刈取り機能を備える片刃であってもよい。
【００８１】
本発明に係る動力作業機は、図４に示すように、左のハンドル半割体３３にスロットルレバー用ボス５５及び固定レバー用ボス５６を設けたが、これに限るものではなく、右のハンドル半割体にスロットルレバー用ボス及び固定レバー用ボスを設けたものでもよく、左右のハンドル半割体の双方にスロットルレバー用ボス及び固定レバー用ボスを設けたものであってもよい。
【００８２】
尚、本発明に係る動力作業機は、図２に示すように、上下の切取り刃１３，１４を駆動するように説明したが、これに限るものではなく、上下の切取り刃の一方を往復運動をするようにしたものであってもよい。
【００８３】
本発明に係る動力作業機は、図１に示すように、上下の切取り刃１３，１４は左右に刈取り機能を有する両刃であったが、これに限るものではなく、上下の切取り刃は一方に刈取り機能を備える片刃であってもよい。
【００８４】
本発明に係る動力作業機は、図４に示すように、左のハンドル半割体３３にスロットルレバー用ボス５５及び固定レバー用ボス５６を設けたが、これに限るものではなく、右のハンドル半割体にスロットルレバー用ボス及び固定レバー用ボスを設けたものでもよく、左右のハンドル半割体の双方にスロットルレバー用ボス及び固定レバー用ボスを設けたものであってもよい。
【００８５】
本発明に係る動力作業機は、図５に示すように、係止解除レバー８１及び係止機構８２をレバー複合体３８として一体的に形成したが、これに限るものではなく、係止解除レバー及び係止機構を別体で形成し、これらの係止解除レバー及び係止機構を結合したものであってもよい。
本発明に係る動力作業機は、図９に示すように、係止機構８２の動作をストッパ部材４１で規制するようにしたが、これに限るものではなく、係止解除レバーをストッパ部材で規制するようにしたものであってもよい。
【００８６】
本発明に係る別実施携帯の動力作業機は、図１８に示すように、ハンドル本体１３５にクリック用ボス１５５，１６５を設けたが、これに限るものではなく、始動スイッチ及びストッパ部材を初期状態に復帰させる圧縮ばね等の復帰手段を設けたものであってもよい。
【産業上の利用可能性】
【００８７】
本発明に係る動力作業機は、生垣などの手入れに使用するヘッジトリマに採用するのに好適である。
【図面の簡単な説明】
【００８８】
【図１】本発明に係る動力作業機の斜視図である。
【図２】本発明に係る動力作業機の側面図である。
【図３】本発明に係る動力作業機のハンドルの左右側面及び平面を示す説明図である。
【図４】本発明に係る動力作業機のハンドルの側面断面図である。
【図５】本発明に係る動力作業機のハンドルの主な部品を示す分解斜視図である。
【図６】本発明に係る動力作業機の係止解除レバー及び係止機構の横断面図である。
【図７】本発明に係る動力作業機の係止解除レバー及び係止機構の縦断面図である。
【図８】本発明に係る動力作業機の要部拡大図である。
【図９】発明に係る動力作業機のハンドル係止状態状態を示す作用説明図である。
【図１０】本発明に係る動力作業機のびハンドル回転可能状態を示す作用説明図である。
【図１１】本発明に係る動力作業機のスロットルレバー作動状態を示す作用説明図である。
【図１２】本発明に係る別実施形態の動力作業機の斜視図である。
【図１３】本発明に係る別実施形態の動力作業機の側面図である。
【図１４】本発明に係る別実施形態の動力作業機のハンドルの側面断面図である。
【図１５】本発明に係る別実施形態の動力作業機のハンドルの主な部品を示す分解斜視図である。
【図１６】本発明に係る別実施形態の動力作業機の係止解除レバー及び係止機構の横断面図である。
【図１７】本発明に係る別実施形態の動力作業機の係止解除レバー及び係止機構の縦断面図である。
【図１８】図１６の１８ー１８線断面図である。
【図１９】図１６の１９ー１９線断面図である。
【図２０】本発明に係る別実施形態の動力作業機の要部拡大図である。
【図２１】本発明に係る別実施形態の動力作業機のハンドル係止状態及びレバー複合体のロック状態を示す作用説明図である。
【図２２】本発明に係る別実施形態の動力作業機のスロットルレバー作動状態及びハンドル回転状態を示す作用説明図である。
【図２３】本発明に係る別実施形態の動力作業機のハンドルのセット位置の態様を示す作用説明図である。
【図２４】従来の基本構成を説明する図である。
【符号の説明】
【００８９】
１０…動力作業機、１１…機体、１２…原動機、１３，１４…上下の切取り刃、１５…ハンドル、３２…軸部、３６…スロットルレバー、８１…係止解除レバー、８２…係止機構、Ｃ…軸線。
【図１】
2005176822.tif 000003
【図２】
2005176822.tif 000004
【図３】
2005176822.tif 000005
【図４】
2005176822.tif 000006
【図５】
2005176822.tif 000007
【図６】
2005176822.tif 000008
【図７】
2005176822.tif 000009
【図８】
2005176822.tif 000010
【図９】
2005176822.tif 000011
【図１０】
2005176822.tif 000012
【図１１】
2005176822.tif 000013
【図１２】
2005176822.tif 000014
【図１３】
2005176822.tif 000015
【図１４】
2005176822.tif 000016
【図１５】
2005176822.tif 000017
【図１６】
2005176822.tif 000018
【図１７】
2005176822.tif 000019
【図１８】
2005176822.tif 000020
【図１９】
2005176822.tif 000021
【図２０】
2005176822.tif 000022
【図２１】
2005176822.tif 000023
【図２２】
2005176822.tif 000024
【図２３】
2005176822.tif 000025
【図２４】
2005176822.tif 000026